(57)【要約】  共にアンテナに動作可能に接続され、アンテナからテレビジョン信号を受信し、デュアルテレビジョンチューナが動作可能に接続され得るホスト上で再生するテレビジョン信号を送出するテレビジョンチューナモジュール及びワイヤレスローカルエリアネットワークモジュールを有するデュアルテレビジョンチューナである。【選択図】  図１
2008543218.tif 000002
【特許請求の範囲】
【請求項１】
テレビジョンチューナモジュールと、ワイヤレスローカルエリアネットワークモジュールとを備えるデュアルテレビジョンチューナであって、
前記テレビジョンチューナモジュールと前記ワイヤレスローカルエリアネットワークモジュールとが共に、アンテナからテレビジョン信号を受信するために、かつ、デュアルテレビジョンチューナが動作可能に接続され得るホスト上で再生する前記テレビジョン信号を送出するために、前記アンテナに動作可能に接続される、デュアルテレビジョンチューナ。
【請求項２】
いかなる時点でも前記テレビジョンチューナモジュールと前記ワイヤレスローカルエリアネットワークモジュールのうちの一方だけが前記ホスト上で再生する前記テレビジョン信号を送出し得る、請求項１に記載のデュアルテレビジョンチューナ。
【請求項３】
前記アンテナから受信された前記テレビジョン信号を復号化するデコーダをさらに備える、請求項１又は２に記載のデュアルテレビジョンチューナ。
【請求項４】
前記テレビジョンチューナモジュールによって受信されるテレビジョン信号がない場合、又は、前記テレビジョンチューナモジュールによって受信された前記テレビジョン信号が許容可能な品質より劣る場合に限り、前記ワイヤレスローカルエリアネットワークモジュールが作動させられる、請求項１〜３のいずれか一項に記載のデュアルテレビジョンチューナ。
【請求項５】
前記ワイヤレスローカルエリアネットワークモジュール及び前記テレビジョンチューナモジュールの両方が同時に作動可能であり、前記ワイヤレスローカルエリアネットワークモジュール及び前記テレビジョンチューナモジュールのうちの何れがより良好なテレビジョン信号を有するかを判定し、判定に続いて、前記ワイヤレスローカルエリアネットワークモジュールと前記テレビジョンチューナモジュールのうちで前記より良好なテレビジョン信号を有する方を作動状態に保ち、もう一方を停止させるマイクロコントローラが設けられている、請求項１〜３のいずれか一項に記載のデュアルテレビジョンチューナ。
【請求項６】
メモリモジュール及びマイクロコントローラをさらに備える、請求項１〜４のいずれか一項に記載のデュアルテレビジョンチューナ。
【請求項７】
携帯可能であり、様々なホストと共に使用され得る、請求項１〜６のいずれか一項に記載のデュアルテレビジョンチューナ。
【請求項８】
アンテナから受信されたテレビジョン信号を選局し、ホスト上で再生する方法であって、
（ａ）前記ホストモジュールに動作可能に接続されている携帯機器のテレビジョンチューナを作動させるステップと、
（ｂ）前記テレビジョンチューナモジュールからの信号を走査するステップと、
（ｃ）前記信号が前記テレビジョンチューナモジュールから入手可能であるかどうかを判定するステップと、
（ｄ）前記テレビジョンチューナモジュールからの信号が存在しない場合、前記テレビジョンチューナモジュールを停止させ、前記携帯機器のワイヤレスローカルエリアネットワークモジュールを作動させるステップと、
（ｅ）前記ワイヤレスローカルエリアネットワークモジュールからの前記信号を走査するステップと、
を備える方法。
【請求項９】
前記ステップ（ａ）の後、前記ステップ（ｄ）へ続く前に、前記ステップ（ｂ）の走査が所定の回数に亘って実施される、請求項８に記載の方法。
【請求項１０】
前記ステップ（ｅ）において前記ワイヤレスローカルエリアネットワークからの信号が存在しない場合、再走査が前記所定の回数に亘って実施される、請求項９に記載の方法。
【請求項１１】
前記所定の回数に亘る再走査の後に前記ワイヤレスローカルエリアネットワークモジュールからの信号が存在しない場合、前記ワイヤレスローカルエリアネットワークモジュールが停止させられ、受信信号無しメッセージが前記ホストに送信される、請求項１０に記載の方法。
【請求項１２】
前記ステップ（ｃ）において前記信号が存在する場合、チャネルが選択され、前記ホスト上で再生される、請求項８〜１１のいずれか一項に記載の方法。
【請求項１３】
前記ワイヤレスローカルエリアネットワークモジュールからの前記信号が存在する場合、チャネルが選択され、前記ホスト上で再生される、請求項８〜１１のいずれか一項に記載の方法。
【請求項１４】
前記ホスト上で再生される前に前記信号を復号化するステップをさらに備える、請求項１２及び請求項１３に記載の方法。
【請求項１５】
アンテナから受信されたテレビジョン信号を選局し、ホスト上で再生する方法であって、
（ａ）共に前記ホストに動作可能に接続されている携帯機器であるテレビジョンチューナモジュール及びワイヤレスローカルエリアネットワークモジュールを作動させるステップと、
（ｂ）前記テレビジョンチューナモジュール及び前記ワイヤレスローカルエリアネットワークモジュールの両方からの信号の走査するステップと、
（ｃ）前記テレビジョンチューナモジュール及び前記ワイヤレスローカルエリアネットワークモジュールの両方が前記信号を供給する場合、前記テレビジョンチューナモジュールと前記ワイヤレスローカルエリアネットワークモジュールのうちのどちらがより良好な信号を供給するかを判定するステップと、
（ｄ）前記テレビジョンチューナモジュールと前記ワイヤレスローカルエリアネットワークモジュールのうちの前記より良好な信号を供給する方が作動状態に保ち、前記ホスト上で再生するための前記より良好な信号を送信するステップと、
（ｅ）前記テレビジョンチューナモジュールと前記ワイヤレスローカルエリアネットワークモジュールのうちの前記より良好な信号を供給しない方を停止させるステップと、
を備える方法。
【請求項１６】
前記ステップ（ｂ）において前記テレビジョンチューナモジュール及び前記ローカルエリアネットワークモジュールの両方からの信号が存在しない場合、再走査が所定の回数に亘って行われる、請求項１５に記載の方法。
【請求項１７】
再走査が前記所定の回数に亘って行われた後に、前記テレビジョンチューナモジュール及び前記ローカルエリアネットワークモジュールのどちらからの信号もそれでもなお存在しない場合、前記テレビジョンチューナモジュール及び前記ローカルエリアネットワークモジュールの両方が停止させられ、受信信号無しメッセージがホストへ送信される、請求項１６に記載の方法。
【請求項１８】
前記ステップ（ｄ）において、チャネルが選択され、前記ホスト上で再生される、請求項１５〜１７のいずれか一項に記載の方法。
【請求項１９】
前記ホスト上で再生される前に前記より良好な信号を復号化するステップをさらに備える、請求項１８に記載の方法。
【請求項２０】
前記ステップ（ｂ）において前記信号が前記テレビジョンチューナモジュールと前記ワイヤレスローカルエリアネットワークモジュールのうちの一方だけから供給されるならば、前記信号を供給しない方は停止させられ、前記信号を供給する方は作動状態に保たれる、請求項１５〜１８のいずれか一項に記載の方法。
【請求項２１】
前記より良好な信号が許容可能な品質より劣る場合、前記ステップ（ａ）〜（ｅ）が繰り返される、請求項１５〜１９のいずれか一項に記載の方法。
【請求項２２】
前記ステップ（ａ）〜（ｅ）の繰り返し中に、繰り返しが前記ステップ（ｃ）の終了に達するまで前記ステップ（ｄ）のプロセスが維持される、請求項２１に記載の方法。
【発明の詳細な説明】
【関連出願の参照】
【０００１】
「ＰＯＲＴＡＢＬＥ  ＡＰＰＡＲＡＴＵＳ  ＦＯＲ  ＥＮＡＢＬＩＮＧ  ＲＥＰＲＯＤＵＣＴＩＯＮ  ＯＦ  ＴＥＬＥＶＩＳＩＯＮ」という発明に関して２００４年９月１７日に出願された先願の米国特許出願第１０／５０８，６４６号及び「ＰＯＲＴＡＢＬＥ  ＡＰＰＡＲＡＴＵＳ  ＦＯＲ  ＥＮＡＢＬＩＮＧ  ＲＥＰＲＯＤＵＣＴＩＯＮ  ＯＦ  ＴＥＬＥＶＩＳＩＯＮ」という発明に関して２００４年９月１日に出願された国際出願第ＰＣＴ／ＳＧ２００４／０００２７６号（複数の先願）が参照され、複数の先願の内容は参照により本明細書に組み込まれている。
【発明の分野】
【０００２】
本発明は、デュアルテレビジョンチューナに関わり、特に、排他的というわけではないが、少なくとも２台の別個のテレビジョンチューナを有する、テレビジョンの再生を可能にする携帯機器に関する。
【発明の背景】
【０００３】
複数の先願には、テレビジョンの再生を可能にする携帯機器が開示されている。しかし、テレビジョン信号が弱いある領域では、受信が許容可能な規格を満たさないことがわかっている。
【０００４】
さらに、複数の先願の動作特性の一部は1つ以上の機能を実行するのに適していることがわかっている。
【発明の概要】
【０００５】
第１の好ましい態様によれば、テレビジョンチューナモジュール及びワイヤレスローカルエリアネットワークモジュールを備えるデュアルテレビジョンチューナであって、テレビジョンチューナモジュール及びワイヤレスローカルエリアネットワークモジュールが共に、アンテナからテレビジョン信号を受信するために、かつ、デュアルテレビジョンチューナが動作可能に接続され得るホスト上で再生するテレビジョン信号を送出するために、アンテナに動作可能に接続されている、デュアルテレビジョンチューナが提供される。
【０００６】
いかなる時点でも、テレビジョンチューナモジュールとワイヤレスローカルエリアネットワークモジュールのうちの一方だけがホスト上で再生するテレビジョン信号を送出することができる。
【０００７】
デュアルテレビジョンチューナは、アンテナから受信されたテレビジョン信号を復号化するデコーダをさらに備えてもよい。
【０００８】
好ましくは、ワイヤレスローカルエリアネットワークモジュールは、テレビジョンチューナモジュールから受信されるテレビジョン信号がない場合、又は、テレビジョンチューナモジュールから受信されたテレビジョン信号が許容可能な品質より劣る場合に限り作動させられる。
【０００９】
代替的に又は追加的に、ワイヤレスローカルエリアネットワークモジュール及びテレビジョンチューナモジュールの両方は同時に作動させることが可能であり、両方のうちの何れがより良好なテレビジョン信号を有するかを判定し、判定に続いて、ワイヤレスローカルエリアネットワークモジュールとテレビジョンチューナモジュールのうちでより良好なテレビジョン信号を有する方を作動状態に保ち、もう一方を停止させるマイクロコントローラが設けられている。
【００１０】
デュアルテレビジョンチューナは、メモリモジュール及びマイクロコントローラをさらに備えることができる。デュアルテレビジョンチューナは携帯可能であり、様々なホストと共に使用することが可能であってもよい。
【００１１】
第２の態様によれば、アンテナから受信されたテレビジョン信号を選局し、ホスト上で再生する方法が提供される。この方法は、ホストモジュールに動作可能に接続されている携帯機器のテレビジョンチューナを作動させるステップと、テレビジョンチューナモジュールからの信号を走査するステップと、信号がテレビジョンチューナモジュールから入手可能であるかどうかを判定するステップとを備える。テレビジョンチューナモジュールからの信号が存在しないならば、テレビジョンチューナモジュールは停止させられ、携帯機器のワイヤレスローカルエリアネットワークモジュールが作動させられる。ワイヤレスローカルエリアネットワークモジュールからの信号の走査がその後に行われる。
【００１２】
テレビジョンチューナモジュールの走査後に、さらなる走査を所定の回数に亘って実施することができる。ワイヤレスローカルエリアネットワークからの信号が存在しないならば、再走査が所定の回数に亘って実施される。所定の回数に亘る再走査の後にワイヤレスローカルエリアネットワークモジュールからの信号が存在しないならば、ワイヤレスローカルエリアネットワークモジュールは停止させられ、受信信号無しメッセージがホストに送信される。何れの場合でも信号が存在するならば、チャネルが選択され、ホスト上で再生される。必要に応じて、信号はホスト上で再生される前に復号化される。
【００１３】
第３の態様によれば、アンテナから受信されたテレビジョン信号を選局し、ホスト上で再生する方法が提供される。この方法は、共に携帯機器であり、かつ、共にアンテナへ動作可能に接続されているテレビジョンチューナモジュール及びワイヤレスローカルエリアネットワークモジュールを作動させるステップを備える。テレビジョンチューナモジュール及びワイヤレスローカルエリアネットワークモジュールの両方からの信号の走査が行われ、テレビジョンチューナモジュール及びワイヤレスローカルエリアネットワークモジュールの両方が信号を供給するならば、テレビジョンチューナモジュールとワイヤレスローカルエリアネットワークモジュールのうちのどちらがより良好な信号を供給するかが判定される。テレビジョンチューナモジュールとワイヤレスローカルエリアネットワークモジュールのうちのより良好な信号を供給する方が作動状態に保たれる。テレビジョンチューナモジュールとワイヤレスローカルエリアネットワークモジュールのうちのより良好な信号を供給しない方は停止させられる。
【００１４】
テレビジョンチューナモジュール及びローカルエリアネットワークモジュールの両方からの信号が存在しないならば、再走査を所定の回数に亘って行うことができる。所定の回数に亘って再走査が行われた後に、テレビジョンチューナモジュール及びローカルエリアネットワークモジュールの両方からの信号がそれでもなお存在しないならば、テレビジョンチューナモジュール及びローカルエリアネットワークモジュールの両方が停止させられ、受信信号無しメッセージがホストへ送信さることがある。
【００１５】
チャネルは選択され、作動状態に保たれている方によってホスト上で再生されてもよい。
【００１６】
必要に応じて、より良好な信号はホスト上で再生される前に復号化されてもよい。
【００１７】
信号がテレビジョンチューナモジュールとワイヤレスローカルエリアネットワークモジュールのうちの一方だけから供給されるならば、信号を供給しない方は停止させられ、信号を供給する方は作動状態に保たれる。
【００１８】
より良好な信号が許容可能な品質より劣るならば、この方法が繰り返される。好ましくは、作動されている方は、繰り返された方法が完了するまで作動状態に保たれる。
【００１９】
本発明が完全に理解され容易に実施されるように、非限定的な単なる一例として、次に本発明の好ましい実施形態が、説明のための添付図面を参照して、記載される。
【好ましい実施形態の詳細な説明】
【００２０】
最初に図１を参照すると、以下の基本コンポーネント、すなわち、
ａ）ＵＳＢコネクタ１０と、
ｂ）ＵＳＢコントローラ１２と、
ｃ）マイクロコントローラ１４と、
ｄ）ワイヤレスＬＡＮモジュール１６と、
ｅ）任意的なＭＰＥＧデコーダ１８と、
ｆ）ＴＶチューナモジュール２０と、
ｇ）メモリモジュール２２と、
ｈ）アンテナ２４と
により構成されている携帯装置１が示されている。
【００２１】
装置１は、ＵＳＢ大容量記憶装置、ＴＶ信号受信機、及び、チューナとして機能することが可能であり、ワイヤレスＬＡＮが使用可能である。メモリモジュール２２は、
ａ）ＮＡＮＤ型フラッシュメモリと、
ｂ）ＡＧ−ＡＮＤ型フラッシュメモリと、
ｃ）ディスクドライブ、好ましくは、ハードディスクドライブと
のうちの１つ以上でもよい。
【００２２】
ＴＶチューナモジュール２０は、複数の先願に記載されているようなものであり、少なくとも１個の標準的なデジタルテレビジョン信号を受信することが可能である。デジタルテレビジョン信号は、
ａ）ＤＶＢ−ｔと、
ｂ）ＡＴＳＣと、
ｃ）ＩＳＤＢ−Ｔと、
ｄ）ＤＭＢと
のうちの１つ以上でもよい。
【００２３】
必要又は要求に応じて、ＭＰＥＧデコーダ１８、又は、その他の形式のデコーダが設けられる。受信信号がＭＰＥＧフォーマット又はその他の標準的なフォーマットをしているならば、受信信号は復号化され、ＴＶ番組がホスト上で視聴できるようにするためホストへ送信される。
【００２４】
ワイヤレスローカルエリアネットワーク（“ＷＬＡＮ”）モジュール１６は、以下のワイヤレスプロトコル、すなわち、
ａ）ＩＥＥＥ８０２．１１と、
ｂ）ブルートゥースと、
ｃ）ＩｒＤＡと、
ｄ）ＷｉＭＡＸと、
ｅ）ＷＵＳＢ
とのうちの少なくとも１つを有する。
【００２５】
ＷＬＡＮモジュール２０は、アクセスポイントへ接続し、ワイヤレス機能を用いてホスト上でテレビジョン番組の視聴を可能にさせるために、その他の装置と通信するように構成可能であり、ＴＶ信号を受信可能である。
【００２６】
このようにして、アンテナ２４によって受信されたテレビジョン信号は、ＴＶチューナモジュール２０だけでなくＷＬＡＮモジュール１６へ渡される。テレビジョン信号は、その後に、モジュール１６、２４の一方又は両方によって処理され、ホスト（図示せず）上でテレビジョン番組の視聴を可能にさせるために、コントローラ１４、１２及びコネクタ１０の中を通される。
【００２７】
装置は同様に無線信号のためにも使用される。
【００２８】
さらに、装置は、ＷＬＡＮモジュール１６、ＭＰＥＧデコーダ１８、ＴＶチューナモジュール２０及びアンテナ２４が停止させられるならば、通常の方法でメモリモジュールとして使用される。
【００２９】
今度は図２を参照すると、コネクタ１０が、たとえば、ＰＣ又はＰＤＡのようなホストに接続されているとき（２０１）、コネクタはホストからのコマンドを待ち続ける（２０２）。コマンドが受信されたならば、ＴＶチューナ２０は作動させられる（２０３）。ＴＶ信号利用可能性を判定するためにチェックが行われる。もし、肯定であるならば（２０５）、チャネルが選択される（２０６）。もし、否定であるならば（２０７）、後述されているプロセスが後に続けられる。（２０６）から、コントローラ１４は、その後に、復号化が必要とされているかどうかをチェックする（２０８）。もし、肯定であるならば、（２０９）コントローラは、ＴＶ信号を復号化のためのＭＰＥＧデコーダ１８へ渡す（２１０）。復号化された信号／符号化された信号は、その後に、マイクロコントローラ１４へ渡され（２１１）、復号化された信号／符号化された信号はホスト上でＴＶ番組を再生するため（２１３）、ホストへ渡される（２１２）。（２０８）で復号化（２１４）が必要とされていないならば、プロセスはステップ（２０８）からそのままステップ（２１１）へ進む。
【００３０】
（２０４）において否定であるならば（２０７）、ＴＶチューナモジュール２０は、所定の回数に亘ってＴＶ信号を再走査する（２１４）。所定の回数は、２〜１０の範囲に入り、好ましくは、５回である。サイクルはステップ（２１５）、（２１６）及び（２１７）を通して継続する。信号が利用可能（２１８）であるならば直ちに、プロセスは（２０６）へ戻る。所定の回数に到達したときに（２１９）、利用可能な信号が存在しないならば、ＷＬＡＮモジュール１６が作動させられ、好ましくは、ＴＶチューナモジュール２０は停止させられる（２２０）。
【００３１】
ＷＬＡＮモジュール２０は、その後に、信号を走査する（２２１）。信号が利用可能であるならば（２２２）、チャネル選択へ進む（２０６）。利用可能な信号が存在しないならば（２２３）、同じ所定の回数に亘る再走査が行われる（２２４）〜（２２７）。所定の回数の走査後に信号が存在しないならば、「検出信号無し」メッセージが生成され、マイクロコントローラ１４（２３０）、ＵＳＢコントローラ１２へ送信され、その後に、表示（２３２）のためホストへ送信される（２３１）。ＷＬＡＮモジュール２０はその後に停止させられる。（２３３）で肯定であるならば、（２２５）で、プロセスは（２３４）から（２４１）まで進む。このプロセスは上述された（２０６）〜（２１３）と同一である。
【００３２】
（２０８）及び（２３５）における復号化は、ハードウェアでも、ソフトウェアでも、ファームウェアでもよい。
【００３３】
さらに、常に、（２０４）におけるＴＶチューナモジュール２０からの信号が許容可能な品質ではないならば、プロセスは（２０７）へ戻ることができる。好ましくは、ＴＶチューナモジュール２０からの信号は、代替信号が処理されるまで維持されている。
【００３４】
今度は図３を参照すると、（３０１）において、コネクタ１０はホスト（図示せず）に動作可能に接続され、ホストからコマンドを受信する（３０２）。ＴＶチューナモジュール２０及びＷＬＡＮモジュール１６は両方共に実質的に同じ時点で作動させられる（３０３）。ＴＶチューナモジュールとＷＬＡＮモジュールの一方又は両方からの信号が利用可能であるかどうかを判定するためにチェックが行われる。否定であるならば（３０５）、図２の実施形態の場合と同様に再走査が行われる（３０６）〜（３１１）。所定の回数の試行後に、信号が存在しないならば（３１２）、（３１３）〜（３１５）の「検出信号無し」プロセスが図２の実施形態の場合と同様に行われる。
【００３５】
（３０７）又は（３０４）において肯定であるならば（３１６）、ＴＶ信号がＴＶチューナモジュール２０とＷＬＡＮモジュール１６の両方から供給されるかどうかを判定するためにチェックが行われる（３１７）。両方から供給されないならば（３１８）、信号がＴＶチューナ２０から提供されるか、又は、ＷＬＡＮから提供されるかを判定するために（３２１）、チェックが行われる（３１９）。信号がＴＶチューナモジュール２０から供給されるならば、ＷＬＡＮ１６は停止させられ（３２２）、プロセスはチャネル選択へ進む（３２３）。ＷＬＡＮモジュール１６から供給されるならば、ＴＶチューナ２０は停止させられ（３２４）、プロセスはチャネル選択へ進む（３２３）。
【００３６】
チャネルが（３２３）で選択された後、復号化が必要であるかどうかを判定するためにチェックが行われる（３２５）。もし、肯定であるならば（３２６）、ＴＶ信号は復号化のためにＭＰＥＧデコーダ１８へ渡され、復号化された信号／符号化された信号がマイクロコントローラ１４へ渡され（３２８）、次に、ＴＶ番組を再生するために（３３０）、ホストへ渡される（３２９）。（３２５）において復号化が必要でないならば（３３１）、プロセスは（３２５）から（３２８）までそのまま通過する。
【００３７】
（３１７）において、信号がＴＶチューナ２０とＷＬＡＮ１６の両方から供給されるならば（３３２）、信号は、ＴＶチューナ２０又はＷＬＡＮ１６のどちらの信号がより良好であるかを判定するために比較される（３３３，３３４）。もし、信号がＴＶチューナ２０の信号であるならば（３３５）、プロセスは（３２２）へ進み、ＷＬＡＮ１６が停止させられ、しかし、もし、信号がＷＬＡＮ１６の信号であるならば（３３６）、プロセスは（３２４）へ進み、ＴＶチューナ２０が停止させられる。停止させられていない方は作動状態に保たれる。
【００３８】
プロセスは、その後、上述されているように、ステップ（３２３）からステップ（３３０）まで進む。
【００３９】
受信ＴＶ信号品質は定期的に監視され、（３１７）から（３３０）までのプロセスが続けられる。監視はＴＶ信号の定期的なサンプリングによってもよく、ＴＶ信号がプリセットされた、又は、許容可能な品質レベルを下回るならば、（３１７）からのプロセスが続けられる。このようにして、ＴＶチューナ２０とＷＬＡＮモジュール１６の両方は、実質的な期間に亘って共に作動状態であることがないので、消費電力を削減する。ＴＶチューナとＷＬＡＮモジュールは、再生時間ではなく、選局プロセスの間に限り共にオンであり、信号がプリセットされた、又は、許容可能な品質レベルを下回らないならば、信号は、プロセス（３３３，３３４）が完了するまで維持される。
【００４０】
以上の説明では、本発明の好ましい実施形態が記載されているが、設計若しくは構成の細部における多数の変化又は変更が本発明を逸脱することなくなされることは当業者によって理解されるであろう。
【図面の簡単な説明】
【００４１】
【図１】好ましい実施形態のブロック図である。
【図２】第１の実施形態の第１のフローチャートである。
【図３】第２の実施形態の第２のフローチャートである。
【図１】
2008543218.tif 000003
【図２】
2008543218.tif 000004
【図３】
2008543218.tif 000005
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
テレビジョンチューナモジュールと、ワイヤレスローカルエリアネットワークモジュールとを備えるデュアルテレビジョンチューナであって、
前記テレビジョンチューナモジュールと前記ワイヤレスローカルエリアネットワークモジュールとが共に、アンテナからテレビジョン信号を受信するために、かつ、デュアルテレビジョンチューナが動作可能に接続され得るホスト上で再生する前記テレビジョン信号を送出するために、前記アンテナに動作可能に接続され、
いかなる時点でも前記テレビジョンチューナモジュールと前記ワイヤレスローカルエリアネットワークモジュールのうちの一方だけが前記ホスト上で再生する前記テレビジョン信号を送出し得る、デュアルテレビジョンチューナ。
【請求項２】
前記アンテナから受信された前記テレビジョン信号を復号化するデコーダをさらに備える、請求項１に記載のデュアルテレビジョンチューナ。
【請求項３】
前記テレビジョンチューナモジュールによって受信されるテレビジョン信号がない場合、又は、前記テレビジョンチューナモジュールによって受信された前記テレビジョン信号が許容可能な品質より劣る場合に限り、前記ワイヤレスローカルエリアネットワークモジュールが作動させられる、請求項１又は２に記載のデュアルテレビジョンチューナ。
【請求項４】
前記ワイヤレスローカルエリアネットワークモジュール及び前記テレビジョンチューナモジュールの両方が同時に作動可能であり、前記ワイヤレスローカルエリアネットワークモジュール及び前記テレビジョンチューナモジュールのうちの何れがより良好なテレビジョン信号を有するかを判定し、判定に続いて、前記ワイヤレスローカルエリアネットワークモジュールと前記テレビジョンチューナモジュールのうちで前記より良好なテレビジョン信号を有する方を作動状態に保ち、もう一方を停止させるマイクロコントローラが設けられている、請求項１〜３のいずれか一項に記載のデュアルテレビジョンチューナ。
【請求項５】
メモリモジュール及びマイクロコントローラをさらに備える、請求項１〜４のいずれか一項に記載のデュアルテレビジョンチューナ。
【請求項６】
携帯可能であり、様々なホストと共に使用され得る、請求項１〜５のいずれか一項に記載のデュアルテレビジョンチューナ。
【請求項７】
アンテナから受信されたテレビジョン信号を選局し、ホスト上で再生する方法であって、
（ａ）前記ホストモジュールに動作可能に接続されている携帯機器のテレビジョンチューナを作動させるステップと、
（ｂ）前記テレビジョンチューナモジュールからの信号を走査するステップと、
（ｃ）前記信号が前記テレビジョンチューナモジュールから入手可能であるかどうかを判定するステップと、
（ｄ）前記テレビジョンチューナモジュールからの信号が存在しない場合、前記テレビジョンチューナモジュールを停止させ、前記携帯機器のワイヤレスローカルエリアネットワークモジュールを作動させるステップと、
（ｅ）前記ワイヤレスローカルエリアネットワークモジュールからの前記信号を走査するステップと、
を備える方法。
【請求項８】
前記ステップ（ａ）の後、前記ステップ（ｄ）へ続く前に、前記ステップ（ｂ）の走査が所定の回数に亘って実施される、請求項７に記載の方法。
【請求項９】
前記ステップ（ｅ）において前記ワイヤレスローカルエリアネットワークからの信号が存在しない場合、再走査が前記所定の回数に亘って実施される、請求項８に記載の方法。
【請求項１０】
前記所定の回数に亘る再走査の後に前記ワイヤレスローカルエリアネットワークモジュールからの信号が存在しない場合、前記ワイヤレスローカルエリアネットワークモジュールが停止させられ、受信信号無しメッセージが前記ホストに送信される、請求項９に記載の方法。
【請求項１１】
前記ステップ（ｃ）において前記信号が存在する場合、チャネルが選択され、前記ホスト上で再生される、請求項７〜１０のいずれか一項に記載の方法。
【請求項１２】
前記ワイヤレスローカルエリアネットワークモジュールからの前記信号が存在する場合、チャネルが選択され、前記ホスト上で再生される、請求項７〜１０のいずれか一項に記載の方法。
【請求項１３】
前記ホスト上で再生される前に前記信号を復号化するステップをさらに備える、請求項１１又は１２に記載の方法。
【請求項１４】
アンテナから受信されたテレビジョン信号を選局し、ホスト上で再生する方法であって、
（ａ）共に前記ホストに動作可能に接続されている携帯機器であるテレビジョンチューナモジュール及びワイヤレスローカルエリアネットワークモジュールを作動させるステップと、
（ｂ）前記テレビジョンチューナモジュール及び前記ワイヤレスローカルエリアネットワークモジュールの両方からの信号の走査するステップと、
（ｃ）前記テレビジョンチューナモジュール及び前記ワイヤレスローカルエリアネットワークモジュールの両方が前記信号を供給する場合、前記テレビジョンチューナモジュールと前記ワイヤレスローカルエリアネットワークモジュールのうちのどちらがより良好な信号を供給するかを判定するステップと、
（ｄ）前記テレビジョンチューナモジュールと前記ワイヤレスローカルエリアネットワークモジュールのうちの前記より良好な信号を供給する方が作動状態に保ち、前記ホスト上で再生するための前記より良好な信号を送信するステップと、
（ｅ）前記テレビジョンチューナモジュールと前記ワイヤレスローカルエリアネットワークモジュールのうちの前記より良好な信号を供給しない方を停止させるステップと、
を備える方法。
【請求項１５】
前記ステップ（ｂ）において前記テレビジョンチューナモジュール及び前記ローカルエリアネットワークモジュールの両方からの信号が存在しない場合、再走査が所定の回数に亘って行われる、請求項１４に記載の方法。
【請求項１６】
再走査が前記所定の回数に亘って行われた後に、前記テレビジョンチューナモジュール及び前記ローカルエリアネットワークモジュールのどちらからの信号もそれでもなお存在しない場合、前記テレビジョンチューナモジュール及び前記ローカルエリアネットワークモジュールの両方が停止させられ、受信信号無しメッセージがホストへ送信される、請求項１５に記載の方法。
【請求項１７】
前記ステップ（ｄ）において、チャネルが選択され、前記ホスト上で再生される、請求項１４〜１６のいずれか一項に記載の方法。
【請求項１８】
前記ホスト上で再生される前に前記より良好な信号を復号化するステップをさらに備える、請求項１７に記載の方法。
【請求項１９】
前記ステップ（ｂ）において前記信号が前記テレビジョンチューナモジュールと前記ワイヤレスローカルエリアネットワークモジュールのうちの一方だけから供給されるならば、前記信号を供給しない方は停止させられ、前記信号を供給する方は作動状態に保たれる、請求項１４〜１７のいずれか一項に記載の方法。
【請求項２０】
前記より良好な信号が許容可能な品質より劣る場合、前記ステップ（ａ）〜（ｅ）が繰り返される、請求項１４〜１８のいずれか一項に記載の方法。
【請求項２１】
前記ステップ（ａ）〜（ｅ）の繰り返し中に、繰り返しが前記ステップ（ｃ）の終了に達するまで前記ステップ（ｄ）のプロセスが維持される、請求項２０に記載の方法。
【国際調査報告】
2008543218.tif 000006
2008543218.tif 000007
2008543218.tif 000008